【手続補正書】
【提出日】平成28年2月5日(2016.2.5)
【手続補正１】
【補正対象書類名】特許請求の範囲
【補正対象項目名】全文
【補正方法】変更
【補正の内容】
【特許請求の範囲】
【請求項１】
フェノール性水酸基を有する化合物０．５質量％〜１０．０質量％と、
フッ素化合物（ただし、前記フェノール性水酸基を有する化合物である物を除く。）０．２質量％〜５．０質量％と、
カルボキシル基含有化合物（ただし、前記フェノール性水酸基を有する化合物又は前記フッ素化合物である物を除く。）０．５質量％〜１０．０質量％と、
多価アルコール及び水を含む溶媒と、を含有することを特徴とする防食用錆転換剤。
【請求項２】
前記フェノール性水酸基を有する化合物の少なくとも１つのベンゼン環にフェノール性水酸基を２個以上有することを特徴とする請求項１に記載の防食用錆転換剤。
【請求項３】
前記フェノール性水酸基を有する化合物がタンニン酸、没食子酸またはピロガロールであることを特徴とする請求項１又は２に記載の防食用錆転換剤。
【請求項４】
前記フッ素化合物がフッ酸、フッ化アンモニウム、酸性フッ化アンモニウム、フッ素カリウム、またはフッ化ナトリウムであることを特徴とする請求項１〜３のいずれか一項に記載の防食用錆転換剤。
【請求項５】
前記カルボキシル基含有化合物がクエン酸、酒石酸、グリコール酸及びその誘導体またはＥＤＴＡ及びその誘導体であることを特徴とする請求項１〜４のいずれか１項に記載の防食用錆転換剤。
【請求項６】
シリカ成分を含有し、前記シリカ成分は、アルコキシシラン化合物及びその加水分解物、シリケート化合物及びその加水分解物、コロイダルシリカ、シリカ粉体及びその表面修飾物からなる群から選択される少なくとも一つを含有することを特徴とする請求項１〜５のいずれか１項に記載の防食用錆転換剤。
【請求項７】
前記溶媒のｐＨは、６．０以下であることを特徴とする請求項１〜６のいずれか１項に記載の防食用錆転換剤。
【請求項８】
前記溶媒における、水以外の成分に対する水の割合が１０：１〜１：１０であることを特徴とする請求項１〜７のいずれか１項に記載の防食用錆転換剤。
【手続補正２】
【補正対象書類名】明細書
【補正対象項目名】０００３
【補正方法】変更
【補正の内容】
【０００３】
しかし、塩酸、硫酸、佛酸等の強酸で赤錆を溶かして除去する前記化学的方法は、建造物の構造部分である鉄骨部分への影響が問題となっている。
また、それ以外の化学的方法としては、特許文献１には、硝酸マグネシウムの水和物に酸性フッ化アンモニウムを溶解し、界面活性剤としてポリエチレングリコールを添加した赤錆の除去剤が提唱されているが、広範囲において、赤錆が除去されているかは、十分に開示されていない。
また、特許文献２には、ボイラー等の容器の腐食防止を目的にボイラー水の中にアルカリ側でグルコン酸、キシリトール等を混ぜることにより防食防止が開示されているが、気化性錆止め剤の一種であり、長期の防食機能ではない。
また、特許文献３には、マグネタイトは磁性をもつことから磁石により赤錆を黒錆化することが提案されている。しかし、黒錆化するのに長時間必要であることや設備が必要なことから現場等の一般的な施工はできない。
また、特許文献４には、現場施工の手法として水性コーティングが開示されているが、リン酸系の防食用錆転換剤であるため、反応が遅く、かつ浸透力に乏しいため長期の防食は期待できない。
一方、特許文献５には、タンニン酸を用いて赤錆を黒錆に転換する防食用錆転換剤が提唱されているが、タンニン酸の含有量が多いため、防食用転換剤にて処理（下塗り）した後、下塗りに重ねて一般的な塗料を塗布した場合、防食用錆転換剤からタンニン酸が遊離し、塗布する塗料（塗膜）と下塗り層との密着性を低下させる問題がある。
【手続補正３】
【補正対象書類名】明細書
【補正対象項目名】０００５
【補正方法】変更
【補正の内容】
【０００５】
特許文献１〜５には、赤錆を除去する赤錆の除去剤または赤錆を黒錆に転換する防食用錆転換剤を用いた化学的方法が開示されている。しかし、特許文献１〜４に開示の赤錆除去剤または防食用錆転換剤は、赤錆の除去が十分は無く、長期の防食機能が期待できないといった問題がある。また、特許文献５に開示されている防食用錆転換剤は、タンニン酸の含有量が多いため、防食用錆転換剤を用いて下塗り層を形成した場合、下塗り層に重ねて形成される塗膜と下塗り層との界面において、防食用錆転換剤からタンニン酸が遊離し、界面の密着性を低下させる問題がある。
本発明は上記事情に鑑みられたものであって、建造物の構造部分である鉄骨部分等、鉄を使用しているあらゆるものの構造部分への影響が少なく、長期の防食機能が期待できる防食用錆転換剤を提供することを目的とする。
【手続補正４】
【補正対象書類名】明細書
【補正対象項目名】０００６
【補正方法】変更
【補正の内容】
【０００６】
本発明者は、上記課題に鑑み、鋭意研究をした結果、フェノール性水酸基を有する化合物と、フッ素化合物と、カルボキシル基含有化合物と、多価アルコール及び水を含む溶媒とを含む防食用錆転換剤を用いることにより、該防食用錆転換剤が建造物の構造部分である鉄骨部分等、鉄を使用しているあらゆるものの構造部分への影響が少なく、長期の防食機能が期待できる防食用錆転換剤を提供できることを見出し、本発明に至った。
【手続補正５】
【補正対象書類名】明細書
【補正対象項目名】０００７
【補正方法】変更
【補正の内容】
【０００７】
即ち、本発明は、フェノール性水酸基を有する化合物０．５質量％〜１０．０質量％と、フッ素化合物（ただし、前記フェノール性水酸基を有する化合物である物を除く。）０．２質量％〜５．０質量％と、カルボキシル基含有化合物（ただし、前記特徴フェノール性水酸基を有する化合物又は前記フッ素化合物である物を除く。）０．５質量％〜１０．０質量％と、多価アルコール及び水を含む溶媒とを含有する防食用錆転換剤である。
前記フェノール性水酸基を有する化合物の少なくとも１つのベンゼン環にフェノール性水酸基を２個以上有することが好ましい。
前記フェノール性水酸基を有する化合物がタンニン酸、没食子酸またはピロガロールであることが好ましい。
前記フッ素化合物がフッ酸、フッ化アンモニウム、酸性フッ化アンモニウム、フッ素カリウム、またはフッ化ナトリウムであることが好ましい。
前記カルボキシル基含有化合物がクエン酸、酒石酸、グリコール酸及びその誘導体またはＥＤＴＡ及びその誘導体であることが好ましい。
前記溶媒のｐＨは、６．０以下であることが好ましい。
前記溶媒中において、水以外の成分に対する水の割合が１０：１〜１：１０であることが好ましい。
【手続補正６】
【補正対象書類名】明細書
【補正対象項目名】０００８
【補正方法】変更
【補正の内容】
【０００８】
本発明によれば、建造物の構造部分である鉄骨部分等、鉄を使用しているあらゆるものの構造部分への影響が少なく、長期の防食機能が期待できる防食用錆転換剤を提供することができる。
【手続補正７】
【補正対象書類名】明細書
【補正対象項目名】００１０
【補正方法】変更
【補正の内容】
【００１０】
本発明の防食用錆転換剤は、フェノール性水酸基を有する化合物０．５質量％〜１０．０質量％と、フッ素化合物（ただし、前記フェノール性水酸基を有する化合物である物を除く。）０．２質量％〜５．０質量％と、カルボキシル基含有化合物（ただし、前記フェノール性水酸基を有する化合物又は前記フッ素化合物である物を除く。）０．５質量％〜１０．０質量％と、多価アルコール及び水を含む溶媒とを含むことを特徴とする。
【手続補正８】
【補正対象書類名】明細書
【補正対象項目名】００１８
【補正方法】変更
【補正の内容】
【００１８】
前記多価アルコール及び水を含む溶媒としては、前記多価アルコールが含まれていれば特に限定されることはないが、前記多価アルコールと共にメタノール、イソプロピルアルコール（以下、「ＩＰＡ」と略称する。）、ブタノール、Ｎ-メチル-2-ピロリドン（ＮＭＰ）、ジメチルスルホキシド（ＤＭＳＯ）、二塩基酸エステル（ＤＢＥ）などの溶媒を含むことが好ましい。
【手続補正９】
【補正対象書類名】明細書
【補正対象項目名】００２２
【補正方法】変更
【補正の内容】
【００２２】
前記溶媒のｐＨは、６．０以下であることが好ましく、３．０〜５．０であることが最も好ましい。
【手続補正１０】
【補正対象書類名】明細書
【補正対象項目名】００２３
【補正方法】変更
【補正の内容】
【００２３】
前記溶媒における、水以外の成分に対する水の割合が１０：１〜１：１０であることが好ましく、１０：５〜５：１０がより好ましく、１０：８〜８：１０であることが最も好ましい。
【手続補正１１】
【補正対象書類名】明細書
【補正対象項目名】００２７
【補正方法】変更
【補正の内容】
【００２７】
以下の表１〜４に示す配合にて、防食用錆転換剤を塗布し、さび板に塗布し、塗布後1時間放置した後８０℃、１０分間の乾燥を行ったものを評価基板とし、外観観察を目視により防評価を行った。試験１〜３、５〜６、８〜１１、１２〜１３、１５〜２０は実施例であり、試験４、７、１４は比較例である。
・変化なし：黒色しない（赤錆のまま）。
・やや黒色：若干黒色になる（やや赤錆が黒錆に転換されたと考えられる）。
・黒色：全面黒色になる（完全に赤錆が黒錆に転換されたと考えられる）。
【手続補正１２】
【補正対象書類名】明細書
【補正対象項目名】００３２
【補正方法】変更
【補正の内容】
【００３２】
表１〜４の結果から、本発明の防食用錆転換剤用いることにより、赤錆が黒錆に転換されたと考えられる。また、試験１〜２においては、赤錆が黒錆に転換されたと考えられるものの、フェノール性水酸基を有する化合物である没食子酸の量が多いため、白色の粉末が残存した。
【手続補正１３】
【補正対象書類名】明細書
【補正対象項目名】００３６
【補正方法】変更
【補正の内容】
【００３６】
本発明の防食用錆転換剤は、橋、船舶、プラント、建造物の鉄骨部分等、鉄を使用しているあらゆるものの構造部分に対して有用である。